(57)【要約】      （修正有）【課題】既存の製造装置との併用が可能な、省エネタイプの固形石鹸用金型を提供することである。【解決手段】圧縮機と、該圧縮機から取り出された棒状の固形石鹸を一定の大きさに切断するための切断装置と、該固形石鹸に所望の形状を付与するための金型と、前記一定の大きさに切断された固形石鹸を、該金型まで運搬するための運搬装置とを備えた固形石鹸製造装置であって、前記金型が、互いに対向して設けられた２つの型1、2を備え、該２つの型のうちの少なくとも一方の型のキャビティーに突出部3が設けられてなることを特徴としている。【選択図】図１
0003103320.tif 000002
【実用新案登録請求の範囲】
【請求項１】
圧縮機と、
該圧縮機から取り出された棒状の固形石鹸を一定の大きさに切断するための切断装置と、
該固形石鹸に所望の形状を付与するための金型と、
前記一定の大きさに切断された固形石鹸を、該金型まで運搬するための運搬装置
とを備えた固形石鹸製造装置であって、
前記金型が、
互いに対向して設けられた２つの型を備え、
該２つの型のうちの少なくとも一方の型のキャビティーに突出部が設けられてなる
ことを特徴とする固形石鹸製造装置。
【請求項２】
固形石鹸製造装置用の金型であって、
互いに対向して設けられた２つの型を備え、
該２つの型のうちの少なくとも一方の型のキャビティーに突出部が設けられてなる
ことを特徴とする金型。
【請求項３】
請求項２記載の固形石鹸製造装置用の金型によって製造された固形石鹸であって、
当該固形石鹸に凹所が設けられ、
前記固形石鹸が、略円形または略正多角形の外形形状を有し、
前記凹所が当該固形石鹸の外形形状を縮小した形状の穴である
ことを特徴とする固形石鹸。
【請求項４】
請求項２記載の固形石鹸製造装置用の金型によって製造された固形石鹸であって、
当該固形石鹸に凹所が設けられ、
前記固形石鹸が、略円形または略正多角形の外形形状を有し、
前記凹所が略丸穴である
ことを特徴とする固形石鹸。
【請求項５】
請求項２記載の固形石鹸製造装置用の金型によって製造された固形石鹸であって、
当該固形石鹸に凹所が設けられ、
前記固形石鹸が、略長方形の外形形状を有し、前記凹所の外形形状の短辺の長さに対する長辺の長さの比率が、当該固形石鹸の外形形状の短辺の長さに対する長辺の長さの比率よりも大きい形状の穴である
ことを特徴とする固形石鹸。
【請求項６】
請求項２記載の固形石鹸製造装置用の金型によって製造された固形石鹸であって、
当該固形石鹸に凹所が設けられ、
前記固形石鹸が、略楕円形の外形形状を有し、前記凹所の外形形状の短軸の長さに対する長軸の長さの比率が、当該固形石鹸の外形形状の短軸の長さに対する長軸の長さの比率よりも大きい形状の穴である
ことを特徴とする固形石鹸。
【考案の詳細な説明】
【技術分野】
【０００１】
本考案は省エネタイプの固形石鹸用金型に関する。さらに詳しくは、使用済みの石鹸の小片を挿入するための凹所が設けられた固形石鹸の製造用金型に関する。
【背景技術】
【０００２】
従来、石鹸の製造メーカにより、たとえば図７に示すような製造装置により固形石鹸が大量に製造・販売されており（たとえば特許文献１参照）、また、消費されている。かかる固形石鹸は、最後まで使い切ることは難しく、ある程度の大きさの小片になるまで使うと、廃棄されているのが実情である。したがって、固形石鹸を最後まで使いきることは、長い間未解決のニーズ（long-felt needs）である。
【０００３】
図７は固形石鹸の製造ラインの最終工程の部分にかかわる装置１５の一部を示す説明図である。図７において、参照符号１６は主圧縮機（primary plodder）を示し、参照符号１７は副圧縮機（secondary plodder）を示し、参照符号１８は切断用ナイフを示し、参照符号１９はベルトコンベヤを示している。主圧縮機１６から取り出された棒状の固形石鹸がナイフ１８によって所望の厚さに切断されると、固形石鹸２０は石鹸圧縮部２１にまで運搬される。つぎに、金型２２を備えた石鹸圧縮部２１において、上型２３と下型２４とのあいだに石鹸２０が挿入されたのち、上型２３と下型２４とが閉じられ、石鹸２０を押圧することにより所望の形状を有する最終製品としての石鹸が得られる。
【０００４】
このニーズに対する１つのアプローチとして、図９に示される装置がある（特許文献２参照）。
【０００５】
図９（ａ）および（ｂ）に示された装置は、ケーシング２５内の上部にホッパー２９が設けられており、ホッパー１７の上部には、金網２６が設けられている。ホッパー１７にはニクロム線などの加熱コイル２８が設けられており、外部電源からコード３５と制御装置３３と電気回路３２とリード３４とを介して加熱コイル２８が通電される。金網２６上に使いふるしの固形石鹸の小片２０ａを複数個載せると接点２１と金網２６とが接触して電源がＯＮになり、加熱コイル２８が熱を発生し、固形石鹸の小片２０ａが加熱されて融解する。融解した液状の石鹸はホッパー１７上に落ち、孔３６を経てさらに、引き出し３０に設けられた凹所２７に落下し、再び固形石鹸を形成する。
【０００６】
また、図１０に示されているように、石鹸４の一部に凹所５を設けて、この凹所に使いふるしの石鹸２０ａを挿入することが提案されている（特許文献２参照）。
【０００７】
【特許文献１】米国特許第４，２０１，７４３号明細書
【特許文献２】米国特許第４，０３０，８６７号明細書
【特許文献３】実開平７−１０５８号公報
【考案の開示】
【考案が解決しようとする課題】
【０００８】
前述の特許文献２の場合、使いふるしの固形石鹸を再生するための具体的な方法を教えてはいるが、使いふるしの固形石鹸を再生するために、消費者に装置を購入することを強いることになる。わが国では、アパートやマンションのスペースは一般に狭隘である。また１個の固形石鹸は、約２カ月使用できると仮定すると、使いふるしの固形石鹸は１年に６個程度が回収される。したがって、特許文献２の装置を購入しても年にせいぜい１〜２回運転するにすぎない。このため、わが国においては、特許文献２の装置は一般消費者には受け入れられるものではなく、実際、家電量販店においてこのような装置は見かけない。
【０００９】
一方、特許文献３には、固形石鹸の製造メーカに対する具体的な製造上の提案はなされていない。
【００１０】
本考案は、製造メーカの生産ラインを変更することなく、既存の製造装置との併用が可能な、省エネタイプの固形石鹸用金型を提供し、該金型により製造される省エネタイプの固形石鹸であって、製造メーカとして原料の低減によるコストダウンを図ることができ、量販主要製品の目玉とすることができ、市場性の点で充分定着しうる省エネタイプの固形石鹸を提供することを目的とするものである。また、本考案は、一般消費者の立場から、従来の固形石鹸と比較して実質的に使用量が増加し、低価格で購入することができ、そのうえ資源を無駄にすることなく消費することができ、エコロジーの観点から充足感を得ることができる固形石鹸を提供することを目的とする。
【課題を解決するための手段】
【００１１】
本考案の第１の態様は、
圧縮機と、
該圧縮機から取り出された棒状の固形石鹸を一定の大きさに切断するための切断装置と、
該固形石鹸に所望の形状を付与するための金型と、
前記一定の大きさに切断された固形石鹸を、該金型まで運搬するための運搬装置
とを備えた固形石鹸製造装置であって、
前記金型が、
互いに対向して設けられた２つの型を備え、
該２つの型のうちの少なくとも一方の型のキャビティーに突出部が設けられてなる
ことを特徴とする固形石鹸製造装置である。
【００１２】
本考案の第２の態様は、
固形石鹸製造装置用の金型であって、
互いに対向して設けられた２つの型を備え、
該２つの型の少なくとも一方の型のキャビティーに突出部が設けられてなる
ことを特徴とする金型である。
【００１３】
本考案の第３の態様は、前記固形石鹸製造装置用の金型によって製造された固形石鹸であって、
当該固形石鹸に凹所が設けられ、
前記固形石鹸が、略円形または略正多角形の外形形状を有し、
前記凹所が当該固形石鹸の外形形状を縮小した形状の穴である
ことを特徴としている。
【００１４】
本考案の第４の態様は、前記固形石鹸製造装置用の金型によって製造された固形石鹸であって、
当該固形石鹸に凹所が設けられ、
前記固形石鹸が、略円形または略正多角形の外形形状を有し、
前記凹所が略丸穴である
ことを特徴としている。
【００１５】
本考案の第５の態様は、前記固形石鹸製造装置用の金型によって製造された固形石鹸であって、
当該固形石鹸に凹所が設けられ、
前記固形石鹸が、略長方形の外形形状を有し、前記凹所の外形形状の短辺の長さに対する長辺の長さの比率が、当該固形石鹸の外形形状の短辺の長さに対する長辺の長さの比率よりも大きい形状の穴である
ことを特徴としている。
【００１６】
本考案の第６の態様は、前記固形石鹸製造装置用の金型によって製造された固形石鹸であって、
当該固形石鹸に凹所が設けられ、
前記固形石鹸が、略楕円形の外形形状を有し、前記凹所の外形形状の短軸の長さに対する長軸の長さの比率が、当該固形石鹸の外形形状の短軸の長さに対する長軸の長さの比率よりも大きい形状の穴である
ことを特徴としている。
【考案の効果】
【００１７】
本考案の固形石鹸製造装置または固形石鹸製造装置用金型によれば、固形石鹸製造メーカにおいては、従来の固形石鹸製造装置に、互いに対向して設けられた２つの型を備え、該２つの型のうちの少なくとも一方の型のキャビティーに突出部が設けられてなる金型を設けるだけで、既存の製造ラインを変更することなく、凹所が設けられた固形石鹸を製造することができる。このため、最低限の初期投資により、原料を削減でき、ひいてはコストダウンを図ることができる。
【００１８】
また、本考案の固形石鹸製造装置または固形石鹸製造装置用金型により製造された固形石鹸によれば、凹所が設けられた固形石鹸が提供されるため、一般消費者においては、使いふるしの固形石鹸を当該凹所に挿入することによって現状販売されている石鹸の形状とほぼ同じ形状の石鹸が得られ、使いふるしの石鹸を結果的に最後まで使用することができる。
【００１９】
すなわち、本考案によれば、製造メーカにおいては材料費の削減が可能になり、ひいては売価を低減することが可能になる。また、一般消費者においては、省エネタイプの固形石鹸の価格が低減されることによって、購買意欲が高められ、かつ固形石鹸を最後まで使い切ることができ、エコロジーに寄与しているという充足感が得られる。
【考案を実施するための最良の形態】
【００２０】
添付図面を参照しながら、本考案の省エネタイプの固形石鹸製造装置、該固形石鹸製造装置用金型および該金型により製造された固形石鹸を以下に詳細に説明する。
【００２１】
図１は本考案の一実施の形態にかかわる固形石鹸製造装置用金型を示す断面説明図、図２〜６は図１の金型によって製造された省エネタイプの固形石鹸を示す説明図である。
【００２２】
すでに述べたように、現状の固形石鹸製造装置によれば、主圧縮機１６から取り出された棒状の固形石鹸は、ナイフ１８により所望の厚さに切断されたのち、固形石鹸２０は石鹸圧縮部２１にまで運搬される。つぎに、金型２２を備えた石鹸圧縮部２１において、上型２３と下型２４とのあいだに石鹸２０が挿入されたのち、上型２３と下型２４とが閉じられ、石鹸２０を押圧することにより所望の形状を有する最終製品としての石鹸が得られる。本実施の形態では、この固形石鹸製造装置の石鹸圧縮部２１には、図８に示された金型の代わりに、図１に示される金型を備えている。すなわち、本考案の金型は、型１と、型１と対向する型２とを備えており、型１のキャビティー６の底部には突出部３が設けられている（図１（ａ）参照）。型１だけに突出部３を設けるだけでなく、型２にも突出部３を設けてもよい（図１（ｂ）参照）。突出部３の形状は、たとえば、図２〜６に示される固形石鹸４の凹所５と相補的な形状を備えている。図１（ａ）の金型を用いて固形石鹸を製造すると、たとえば、図２（ｂ）、図３（ｂ）、図４（ｂ）、図５（ｂ）および図６（ｂ）に示されるように固形石鹸４の片面だけに凹所５が設けられた形状が得られる。しかし、図１（ｂ）の金型を用いて固形石鹸を製造すると、たとえば、図２（ｃ）に示されるように固形石鹸４の両面に凹所５が設けられた形状が得られる。
【００２３】
石鹸圧縮部２１に図８に示された金型が設けられたものと、石鹸圧縮部２１に図１に示された金型が設けられたものとを並存させてもよい。そのようにすることにより、製造メーカによって従来製造されてきた消費者に人気のある製品の製造を継続しつつ、既存の固形石鹸用の生産ラインを最小限に変更するだけで省エネタイプの固形石鹸（図２〜６参照）を製造しうるという利点がある。したがって、製造メーカにおいては、従来の固形石鹸と、省エネタイプの固形石鹸４とを両方製造しつつ、一般消費者に支持されたと判断した時点で、石鹸圧縮部２１に図８に示された金型が設けられたものを生産ラインから切り離して、石鹸圧縮部２１に図１に示された金型が設けられたものだけを生産ラインに採用すればよい。
【００２４】
図１に示される金型は、前述の図７に示されるような製造装置だけに適用されるのではない。図７の製造装置は、あくまでも固形石鹸製造装置の一例を示したにすぎない。本考案の金型は、あらゆるタイプの製造装置に適用することができる。
【００２５】
固形石鹸が、略楕円形の外形形状を有している場合（図２（ａ）参照）、主として縦方向に使用されるため、凹所５状は、固形石鹸の原形の外形形状より若干縦長かつ小型化した形状の穴としている。すなわち、図２（ａ）を参照すると、固形石鹸４の外形の短軸の長さＢ１に対する長軸の長さＡ１の比率（Ａ１／Ｂ１）が、凹所５の短軸の長さＢ２に対する長軸の長さＡ２の比率（Ａ２／Ｂ２）より大きい。なお、凹所５の角の部分は丸みを増した形状とすることが好ましい。
【００２６】
また、固形石鹸が、略長方形の外形形状を有している場合（図４（ａ）参照）も、主として縦方向に使用されるため、凹所５は、固形石鹸の原形の外形形状より若干縦長かつ小型化した形状の穴としている。すなわち、図４を参照すると、固形石鹸４の外形の短辺の長さＭ１に対する長辺の長さＬ１の比率（Ｌ１／Ｍ１）が、凹所５の短辺の長さＭ２に対する長辺の長さＬ２の比率（Ｌ２／Ｍ２）より大きい。なお、凹所５の角の部分は丸みを増した形状とすることが好ましい。
【００２７】
さらに、固形石鹸が、略正方形の外形形状を有している場合（図６参照）、略正六角形の外形形状を有している場合（図３参照）、略円形の外形形状を有している場合（図５参照）は、縦横均等に使用されるため、公知のコンピュータ・シミュレーション技術により、凹所５は当該固形石鹸４の外形形状を縮小した形状の穴としている。図には外形形状として略正方形と略正六角形の固形石鹸が示されているが、これらの形状に限られることはなく、略正多角形（正ｎ角形（ただし、ｎは３以上の整数））の外形形状を有する固形石鹸は、外形形状を縮小した形状をもつ凹所とするのがよい。なお、凹所５の角の部分は丸みを増した形状とすることが好ましいので、図３（ａ）に示されるとおり、略正多角形の外形形状を有する固形石鹸の凹所は略丸穴とすることもできる。
【００２８】
固形石鹸が略円形の外形形状を有している場合（図５参照）は、凹所５は当該固形石鹸４の外形形状を縮小した形状の穴（すなわち、略丸穴）としている。
【００２９】
図２〜６には、一般に市販されている固形石鹸を例にとって固形石鹸の外形形状に対する凹所の形状を示したが、本考案の固形石鹸は図示されたものに限られることはく、図示した形状を修正・変更したものも本考案に含まれる。なぜなら、いかなる外形形状を有する固形石鹸であっても、当業者であれば、公知のコンピュータ・シミュレーションの技術により、使用につれてどのような形状の固形石鹸の小片になるかを予測することができ、予測データに基づいて図１の金型の突出部３の形状を決定することができるので、いかなる外形形状を有する固形石鹸に対しても適切な形状の凹所を有する固形石鹸を製造することがきるからである。
【図面の簡単な説明】
【００３０】
【図１】本考案の一実施の形態にかかわる固形石鹸製造装置用金型を示す断面説明図である。
【図２】図１の金型によって製造された省エネタイプの固形石鹸を示す説明図である。
【図３】図１の金型によって製造された省エネタイプの固形石鹸を示す説明図である。
【図４】図１の金型によって製造された省エネタイプの固形石鹸を示す説明図である。
【図５】図１の金型によって製造された省エネタイプの固形石鹸を示す説明図である。
【図６】図１の金型によって製造された省エネタイプの固形石鹸を示す説明図である。
【図７】従来の家庭用固形石鹸製造装置を示す概略説明図である。
【図８】図７の製造装置の要部説明図である。
【図９】従来の固形石鹸製造装置を示す概略説明図である。
【図１０】図９の製造装置に用いられる金型を示す説明図である。
【符号の説明】
【００３１】
１、２  型
３  突出部
４  固形石鹸
５  凹所
６、７  キャビティー
【図１】
0003103320.tif 000003
【図２】
0003103320.tif 000004
【図３】
0003103320.tif 000005
【図４】
0003103320.tif 000006
【図５】
0003103320.tif 000007
【図６】
0003103320.tif 000008
【図７】
0003103320.tif 000009
【図８】
0003103320.tif 000010
【図９】
0003103320.tif 000011
【図１０】
0003103320.tif 000012